(57)【要約】【課題】本発明は、健常者は勿論、視力障害者でも接触並びに目視により判読可能に、且つバランス良く印刷処理することができ、記録情報再生時に回転ムラがなく安定した再生音や再生画像を得ることができる印刷処理されたディスク状記憶媒体を提供する。【解決手段】紫外線硬化樹脂インク８を使用してインクジェット方式によりディスク状記憶媒体１の印刷可能な表面２に凸状に印刷処理されたディスク状記憶媒体１であって、上記表面２の外周に沿って所定パターンで隣接させて接触並びに目視により判読可能に印刷処理されることで、記録情報再生時にディスク状記憶媒体１の回転ムラがなく安定した再生音や再生画像を得ることができる。【選択図】        図１
2004158099.tif 000002
【特許請求の範囲】
【請求項１】
紫外線硬化樹脂インク８を使用してインクジェット方式によりディスク状記憶媒体１の印刷可能な表面２に凸状に印刷処理されたディスク状記憶媒体であって、
該ディスク状記憶媒体１は、上記インクジェット方式により上記表面２の外周に沿って所定パターンで隣接させて接触並びに目視により判読可能に印刷処理されていることを特徴とする印刷処理されたディスク状記憶媒体。
【請求項２】
上記印刷の対象は、上記ディスク状記憶媒体１の回転中心Ｏを向くように規則に従って配置された点字４と、該点字４に対応する墨字５が上記ディスク状記憶媒体１の回転中心Ｏに向くように配置され、これらが時計廻りに所定パターンで連続して印刷されている請求項１に記載の印刷処理されたディスク状記憶媒体。
【請求項３】
少なくとも上記点字４の印刷に使用される紫外線硬化樹脂インク８は、透明なインクであることを特徴とする請求項２に記載の印刷処理されたディスク状記憶媒体。
【発明の詳細な説明】
【０００１】
【発明の属する技術分野】
本発明は、紫外線硬化樹脂インクを使用してインクジェット方式により、ＣＤやＤＶＤ等のディスク状記憶媒体の印刷可能な表面に凸状に印刷処理されたディスク状記憶媒体に関する。
【０００２】
【従来の技術】
近年では、健常者のみならず視力障害者でも例えば商品の内容が接触により容易に判読できるように各種パターンの点字を印刷したディスク状記憶媒体が提案されている。
【０００３】
例えば、紫外線硬化性樹脂を印刷して硬化させた点字となる突起部と数字を対応させて透明な塩化ビニールシート上に印刷したもの（特許文献１参照）や、光ディスクの印刷を施す面に、着色性の紫外線硬化インクを吸着する成分を含むインクをインクジェット方式により印刷するものが知られている（特許文献２参照）。
【０００４】
【特許文献１】
特開平８−５２９２９号公報（段落００１８、００１９、図５〜図７）
【特許文献２】
特開２００２−１９７７２７号公報（段落００２３、００２４、図１）
【０００５】
上記のような公知の紫外線硬化樹脂のインクを使用してインクジェット方式によりディスク状記憶媒体の表面に凸状のドット印刷により点字を印刷したものとして、図４に示すようなものが知られている。
【０００６】
ここで、点字について簡単に触れておくと、この点字は縦３点、横２列の６つの凸点の組み合わせによって構成されている文字で、この単位をマスと呼んでいる。この一マスの６つの点には名称が有り、左の上から▲１▼の点、▲２▼の点、▲３▼の点、右の上から▲４▼の点、▲５▼の点、▲６▼の点と呼び、点字は横書きで左から右方向へ凸面で読んでいく規則になっている。そして、形成された点字に対応して表示される文字等を墨字と呼んでいる。
【０００７】
【発明が解決しようとする課題】
ところが、図４に示されるように、ディスク状記憶媒体３０１に印刷された点字並びに該点字に対応する墨字は、該ディスク状記憶媒体３０１の回転中心Ｏを通る直線に対し直交する方向に、左から右方向へ所定パターンで連続するように紫外線硬化樹脂のインクを使用したインクジェット方式により直列に印刷されており、これが複数行に及ぶ場合は、ディスク状記憶媒体３０１の回転中心Ｏを跨いで平行に印刷される場合もある。
【０００８】
従って、上記のような配置でディスク状記憶媒体３０１に点字が印刷されると、ディスク状記憶媒体３０１を再生する際に高速回転（例えば１５０００ｒｐｍ）すると、印刷された紫外線硬化樹脂インクによりディスク状記憶媒体３０１上に偏荷重が生ずるため、回転がアンバランス状態となって再生音や再生画像にムラが生ずる問題を有していた。
【０００９】
従って、本発明の目的とする所は、健常者は勿論、視力障害者でも接触並びに目視により判読可能に、且つバランス良く印刷処理することができ、記録情報再生時に回転ムラがなく安定した再生音や再生画像を得ることができる印刷処理されたディスク状記憶媒体を提供することを目的とする。
【００１０】
【課題を解決する為の手段】
上記目的を達成するために、本発明は次の技術的手段を有する。即ち、発明の実施の形態に対応する添付図面に使用した符号を用いて説明すると、紫外線硬化樹脂インク８を使用してインクジェット方式によりディスク状記憶媒体１の印刷可能な表面２に凸状に印刷処理されたディスク状記憶媒体であって、該ディスク状記憶媒体１は、上記インクジェット方式により上記表面２の外周に沿って所定パターンで隣接させて接触並びに目視により判読可能に印刷処理されていることを特徴とする印刷処理されたディスク状記憶媒体である。
従って、ディスク状記憶媒体１は、紫外線硬化樹脂インク８を使用してインクジェット方式により、その表面外周に沿って所定パターンで隣接させて凸状に印刷処理されているので、記録情報再生時にディスク状記憶媒体１の回転ムラがなく安定した再生音や再生画像を得ることができる。
【００１１】
また本発明は、上記印刷の対象が、上記ディスク状記憶媒体１の回転中心を向くように規則に従って配置された点字４と、該点字４に対応する墨字５が上記ディスク状記憶媒体１の回転中心に向くように配置され、これらが時計廻りに所定パターンで連続して印刷されている印刷処理されたディスク状記憶媒体である。従って、ディスク状記憶媒体１の回転中心Ｏを向くように規則に従って配置された点字４と該点字４に対応する墨字５が上記回転中心Ｏに向くように配置され、これらが時計廻りに所定パターンで連続して印刷されているので、健常者は勿論、視力障害者でも接触並びに目視によりディスク状記憶媒体１の外周に沿って時計廻りに判読することができる。
【００１２】
また本発明は、少なくとも上記点字４の印刷に使用される紫外線硬化樹脂インク８が、透明なインクであることを特徴とする印刷処理されたディスク状記憶媒体である。
従って、少なくとも点字４が透明なインクで印刷されて、突出した印刷となっても健常者には目立つことがないため、点字４に対応して印刷された墨字５を上記点字４に関わらず容易に判読することができる。
【００１３】
【発明の実施の形態】
以下、本発明の実施形態を添付図面に基づき詳細に説明する。図１は、本発明の一実施形態に係る印刷処理されたディスク状記憶媒体の平面図、図２はディスク状記憶媒体の表面に点字印刷するための、インクジェット方式の印字ヘッドの内部構造図であり、図３はディスク状記憶媒体の表面に目視可能な文字、数字並びに記号等と対応する各種パターンの点字印刷の制御を行なうブロック図である。
【００１４】
図１〜図３において、符号１は本発明に係るＣＤやＤＶＤ等のディスク状記憶媒体であって、このディスク状記憶媒体１の印刷可能な表面２の外周に沿って接触によって判読可能な点字４と、この点字４に対応する墨字５（目視により判読可能な文字等）が対となって時計廻り（矢印方向）に所定パターンで連続して印刷されている。
【００１５】
外周に沿った面上で互いに隣接する各点字４は、ディスク状記憶媒体１の回転中心Ｏを向くように規則に従って印刷配置されており、各点字４に対応する墨字５もその内周側にディスク状記憶媒体１の回転中心Ｏを向けて印刷配置されている。
【００１６】
各点字４の印刷は、後述する紫外線硬化樹脂インク８を使用してインクジェットプリンタ１２の印字ヘッド６によりドット印刷して凸状部１０を形成した後、紫外線を照射させることで硬化させる（図２参照）。
【００１７】
各点字４の標準寸法は、日本工業標準調査会医療安全用具部会審議の規定によれば、左側の▲１▼の点〜▲３▼の点の各間隔が２．３ｍｍ、左列と右列の間隔が２．２６ｍｍ、隣接する点字の左列間の間隔が６．１ｍｍ、円周上の外側に配置される点字と内側に配置される点字の▲１▼の点の間隔が１１．５ｍｍ以上で、高さが０．３ｍｍ以上とされている。
【００１８】
次ぎに、紫外線硬化樹脂インク８は、光重合性プレポリマーとともに紫外線硬化性組成物を希釈する目的で、紫外線硬化反応において重合反応に関与する光重合性モノマーを用いて印刷したインクの形状の保持性が良好であるという特徴を有しており、それぞれの含有比率を調整することで所定の表面張力を得ることができ、表面張力は３３ｍＮ／ｍ以上が好ましいとされている。
【００１９】
また、上記の紫外線硬化樹脂インク８を使用して印刷するインクジェットプリンタ１２に使用される印字ヘッド６は、図２に示されるように、電圧をかけると変形するピエゾ素子を使用して上記インク８を発射させる方式で、圧力がかけられた紫外線硬化樹脂インク８は、ノズルと呼ばれる小さな孔からディスク状記憶媒体１の印刷可能な外周面に向けて発射される。ノズルの数が増えるほど一度に多くの紫外線硬化樹脂インク８を発射することができるので、その数によって印刷速度も変えられるようになっている。
【００２０】
詳しくは、図２に示す印字ヘッド６は、ピエゾ素子１３、振動板１４、セル１５、及びノズル１６から構成されており、ピエゾ素子１３により振動板１４を介して、セル１５内部に２５〜３０ＫＨｚの振動を与えることで、セル１５に充填された紫外線硬化樹脂インク８は、ピエゾ素子１３の振動により１秒間に２５０００〜３００００粒の紫外線硬化樹脂インク８をディスク状記憶媒体１の印刷可能な表面２の外周に向かって発射し、凸状部１０が印刷処理されるようになっている。
【００２１】
次ぎに、図３を参照して各種パターンの点字の印刷制御につき説明する。
【００２２】
２０は中央処理装置（ＣＰＵ）としての制御装置であって、この制御装置２０には、点字入力装置２２ならびに文字入力装置２４が、インターフェイスＩ／Ｆを介して接続されている。更に制御装置２０には、インクジェットプリンタ１２並びにこのインクジェットプリンタ１２に紫外線硬化樹脂インクを供給する紫外線硬化樹脂インク供給装置２６が接続されている。
【００２３】
制御装置２０は、記憶部２５を有しており、点字入力装置２２ならびに文字入力装置２４を介して入力された各種印刷パターンの点字４および墨字５のモデルを記憶している。
【００２４】
そこで、ディスク状記憶媒体１の表面に点字印刷を行なうに際し、記憶部２５に記憶されているモデル例から所定パターンの点字が選択されると、制御装置２０によりインクジェットプリンタ１２の印字ヘッド６が制御されてピエゾ素子１３により振動板１４が振動し、紫外線硬化樹脂インク８がディスク状記憶媒体１外周の印刷面に向けて発射される。
【００２５】
これにより、ディスク状記憶媒体１の回転中心Ｏを向くように規則に従って凸状の点字４と、この点字４に対応する墨字５が上記ディスク状記憶媒体１の回転中心Ｏに向くように配置され、これらが時計廻りに所定パターンで連続して印刷される。
【００２６】
尚、点字印刷に使用される紫外線硬化樹脂インク８は、着色したインクを用いても良いが、好ましくは透明なインクを用いれば、点字４が突出した印刷となっても健常者には目立つことないため、点字４に対応して印刷された墨字５を上記点字４に関わらず容易に判読することができる。
【００２７】
また、透明なインクを用いずに、ディスク状記憶媒体１の表面２の全面、または点字４が印刷される部位に適宜地色を印刷し、印刷された地色と同系色のインクで点字４を着色すれば互いに保護色関係となり、透明と同じ効果を得ることができる。
【００２８】
従って、上記のように印刷処理されたディスク状記憶媒体によれば、紫外線硬化樹脂インク８が、インクジェットプリンタ１２の印字ヘッド６により、ディスク状記憶媒体１の表面２外周に沿って所定パターンで隣接させて凸状に印刷処理されているので、記録情報再生時にディスク状記憶媒体１の回転ムラがなく安定した再生音や再生画像を得ることができる。
【００２９】
また、ディスク状記憶媒体１の回転中心を向くように規則に従って配置された点字４と、この点字４に対応する墨字５が上記回転中心Ｏに向くように配置され、これらがディスク状記憶媒体１の表面外周に沿って時計廻りに所定パターンで連続して印刷されているので、健常者は勿論、視力障害者でも接触並びに目視によりディスク状記憶媒体１の外周に沿って時計廻りに判読することができる。
【００３０】
【発明の効果】
以上詳述した如く、本発明によると次の様な効果を奏する。
【００３１】
即ち、請求項１によると、紫外線硬化樹脂インクを使用してインクジェット方式によりディスク状記憶媒体の表面外周に沿って所定パターンで隣接させて凸状に印刷処理されているので、記録情報再生時にディスク状記憶媒体の回転ムラがなく安定した再生音や再生画像を得ることができる。
【００３２】
また、請求項２によると、ディスク状記憶媒体の回転中心を向くように規則に従って配置された点字と該点字に対応する墨字が上記回転中心に向くように配置され、これらが時計廻りに所定パターンで連続して印刷されているので、健常者は勿論、視力障害者でも接触並びに目視によりディスク状記憶媒体の外周に沿って時計廻りに判読することができる。
【００３３】
また、請求項３によると、少なくとも点字が透明なインクで印刷されて、点字が突出した印刷となっても健常者には目立つことがないため、点字に対応して印刷された墨字を上記点字に関わらず容易に判読することができる。
【図面の簡単な説明】
【図１】本発明の一実施形態に係る印刷処理されたディスク状記憶媒体の平面図である。
【図２】ディスク状記憶媒体の表面に点字印刷するための、インクジェット方式の印字ヘッドの内部構造図である。
【図３】ディスク状記憶媒体の表面に目視可能な文字、数字並びに記号等と対応する各種パターンの点字印刷の制御を行なうブロック図である。
【図４】紫外線硬化樹脂インクを使用して印刷処理された従来のディスク状記憶媒体の平面図である。
【符号の説明】
１                ディスク状記憶媒体
２                印刷可能な表面
４                点字
５                墨字
６                印字ヘッド
８                紫外線硬化樹脂インク
１０              凸状部
１２              インクジェットプリンタ
１３              ピエゾ素子
１４              振動板
１５              セル
１６              ノズル
２０              制御装置
２２              点字入力装置
２４              文字入力装置
２５              記憶部
２６              紫外線硬化樹脂インク供給装置
Ｏ                回転中心
【図１】
2004158099.tif 000003
【図２】
2004158099.tif 000004
【図３】
2004158099.tif 000005
【図４】
2004158099.tif 000006